(57)【特許請求の範囲】
【請求項１】
無線装置にモード変更を提供する方法であって、
ネットワーク装置と接続するためのリクエストを無線装置から受信すること、および
ロケーション定義モードに入るための信号を前記無線装置に送ることを備える方法。
【請求項２】
前記ロケーション定義モードを前記無線装置が受諾するという肯定応答を前記無線装置から受信すること、および
前記ネットワーク装置を介したネットワークへのアクセスを許可することをさらに備える、請求項１に記載の方法。
【請求項３】
前記ロケーション定義モードを前記無線装置が受諾しないという肯定応答を前記無線装置から受信すること、
前記ネットワーク装置を介したネットワークへのアクセスを遮断すること、および
前記ネットワークへのアクセスが遮断され、前記無線装置によってそれ以上のアクションが要求されないという警告を前記無線装置に与えることをさらに備える、請求項１に記載の方法。
【請求項４】
前記ネットワーク装置に関連づけられたロケーションに前記無線装置が近接している間、前記ロケーション定義モードが、前記無線装置の少なくとも１つの挙動を定義する、請求項１に記載の方法。
【請求項５】
前記少なくとも１つの挙動が、テーマ、着信音、着信音量、振動設定、警告音量、インスタントメッセージ通信のプレゼンス、メッセージ受信設定、呼ルーティング設定、チャットハンドリング設定、接続性設定、バディーリスト、ボタン押下音量、アラーム音量、テキスト警告音量、スクリーンセーバ、ディスプレイ背景、壁紙、ゲーム設定、またはその任意の組合せの少なくとも１つを備える、請求項４に記載の方法。
【請求項６】
前記ロケーション定義モードが、前記ロケーションの所有者によって定義される、請求項１に記載の方法。
【請求項７】
前記ロケーション定義モードが、前記無線装置のユーザによって定義される、請求項１に記載の方法。
【請求項８】
前記ロケーション定義モードが、コミュニティによって定義される、請求項１に記載の方法。
【請求項９】
前記無線装置にオーバーライド信号を送ることをさらに備え、前記オーバーライド信号が、現在の装置モードをオーバーライドし、前記無線装置を前記ロケーション定義モードに入らせる、請求項３に記載の方法。
【請求項１０】
前記ネットワークへのアクセスを許可することをさらに備える、請求項９に記載の方法。
【請求項１１】
ネットワークへのアクセスを提供する装置であって、
ネットワーク装置と接続するためのリクエストを無線装置から受信するための手段と、
ロケーション定義モードに入るための信号を前記無線装置に送るための手段とを備える装置。
【請求項１２】
前記ロケーション定義モードを前記無線装置が受諾するという肯定応答を前記無線装置から受信するための手段と、
前記ネットワーク装置を介したネットワークへのアクセスを許可するための手段とをさらに備える、請求項１１に記載の装置。
【請求項１３】
前記ロケーション定義モードを前記無線装置が受諾しないという肯定応答を前記無線装置から受信するための手段と、
前記ネットワーク装置を介したネットワークへのアクセスを遮断するための手段とをさらに備える、請求項１１に記載の装置。
【請求項１４】
前記ネットワーク装置に関連づけられたロケーションに前記無線装置が近接している間、前記ロケーション定義モードが、前記無線装置の少なくとも１つの挙動を定義する、請求項１１に記載の装置。
【請求項１５】
前記少なくとも１つの挙動が、テーマ、着信音、着信音量、振動設定、警告音量、インスタントメッセージ通信のプレゼンス、メッセージ受信設定、呼ルーティング設定、チャットハンドリング設定、接続性設定、バディーリスト、ボタン押下音量、アラーム音量、テキスト警告音量、スクリーンセーバ、ディスプレイ背景、壁紙、またはその任意の組合せの少なくとも１つを備える、請求項１４に記載の装置。
【請求項１６】
前記無線装置にオーバーライド信号を送るための手段であって、前記オーバーライド信号が現在の装置モードをオーバーライドし、前記無線装置を前記ロケーション定義モードに入らせる手段と、
前記ネットワークへのアクセスを許可するための手段とをさらに備える、請求項１３に記載の装置。
【請求項１７】
コンピュータに、ネットワーク装置と接続するためのリクエストを無線装置から受信させる少なくとも１つの命令と、
コンピュータに、ロケーション定義モードに入るための信号を前記無線装置に送らせる少なくとも１つの命令とを備えるコンピュータ可読媒体を備えるコンピュータプログラム製品。
【請求項１８】
前記コンピュータ可読媒体が、
コンピュータに、前記ロケーション定義モードを前記無線装置が受諾するという肯定応答を前記無線装置から受信させる少なくとも１つの命令と、
コンピュータに、前記ネットワーク装置を介したネットワークへのアクセスを許可させる少なくとも１つの命令とをさらに備える、請求項１７に記載のコンピュータプログラム製品。
【請求項１９】
前記コンピュータ可読媒体が、
コンピュータに、前記ロケーション定義モードを前記無線装置が受諾しないという肯定応答を前記無線装置から受信させる少なくとも１つの命令と、
コンピュータに、前記ネットワーク装置を介したネットワークへのアクセスを遮断させる少なくとも１つの命令とをさらに備える、請求項１７に記載のコンピュータプログラム製品。
【請求項２０】
前記ネットワーク装置に関連づけられたロケーションに前記無線装置が近接している間、前記ロケーション定義モードが、前記無線装置の少なくとも１つの挙動を定義する、請求項１７に記載のコンピュータプログラム製品。
【請求項２１】
前記少なくとも１つの挙動が、テーマ、着信音、着信音量、振動設定、警告音量、インスタントメッセージ通信のプレゼンス、メッセージ受信設定、呼ルーティング設定、チャットハンドリング設定、接続性設定、バディーリスト、ボタン押下音量、アラーム音量、テキスト警告音量、スクリーンセーバ、ディスプレイ背景、壁紙、またはその任意の組合せの少なくとも１つを備える、請求項２０に記載のコンピュータプログラム製品。
【請求項２２】
前記コンピュータ可読媒体が、
コンピュータに、オーバーライド信号を前記無線装置に送らせる少なくとも１つの命令であって、前記オーバーライド信号が、現在の装置モードをオーバーライドし、前記無線装置を前記ロケーション定義モードに入らせる命令と、
コンピュータに、前記ネットワークへのアクセスを許可させる少なくとも１つの命令とをさらに備える、請求項１９に記載のコンピュータプログラム製品。
【請求項２３】
プロセッサと、
前記プロセッサにとってアクセス可能なメモリとを備える、ネットワークへのアクセスを提供する装置であって、前記メモリが、
ネットワーク装置と接続するためのリクエストを無線装置から受信する少なくとも１つの命令と、
ロケーション定義モードに入るための信号を前記無線装置に送る少なくとも１つの命令とを備える装置。
【請求項２４】
前記メモリが、
前記ロケーション定義モードを前記無線装置が受諾するという肯定応答を前記無線装置から受信する少なくとも１つの命令と、
前記ネットワーク装置を介したネットワークへのアクセスを許可する少なくとも１つの命令とをさらに備える、請求項２３に記載の装置。
【請求項２５】
前記メモリが、
前記ロケーション定義モードを前記無線装置が受諾しないという肯定応答を前記無線装置から受信する少なくとも１つの命令と、
前記ネットワーク装置を介したネットワークへのアクセスを遮断する少なくとも１つの命令とをさらに備える、請求項２３に記載の装置。
【請求項２６】
前記ネットワーク装置に関連づけられたロケーションに前記無線装置が近接している間、前記ロケーション定義モードが、前記無線装置の少なくとも１つの挙動を定義する、請求項２３に記載の装置。
【請求項２７】
前記少なくとも１つの挙動が、テーマ、着信音、着信音量、振動設定、警告音量、インスタントメッセージ通信のプレゼンス、メッセージ受信設定、呼ルーティング設定、チャットハンドリング設定、接続性設定、バディーリスト、ボタン押下音量、アラーム音量、テキスト警告音量、スクリーンセーバ、ディスプレイ背景、壁紙、またはその任意の組合せの少なくとも１つを備える、請求項２６に記載の装置。
【請求項２８】
前記メモリが、
前記無線装置にオーバーライド信号を送る少なくとも１つの命令であって、前記オーバーライド信号が現在の装置モードをオーバーライドし、前記無線装置を前記ロケーション定義モードに入らせる命令と、
前記ネットワークへのアクセスを許可する少なくとも１つの命令とをさらに備える、請求項２５に記載の装置。
【請求項２９】
無線装置の所でモード変更を受信する方法であって、
ネットワーク装置との接続を試みること、
前記ネットワーク装置を介して、ロケーション定義モードに入るための信号を受信すること、および
前記ロケーション定義モードを受諾するようユーザを促すことを備える方法。
【請求項３０】
前記ユーザが前記ロケーション定義モードを受諾すると、前記ロケーション定義モードを受諾するという肯定応答を送信することをさらに備える、請求項２９に記載の方法。
【請求項３１】
前記ロケーション定義モードに入ることをさらに備える、請求項３０に記載の方法。
【請求項３２】
前記ネットワーク装置を介したネットワークへのアクセスを受け取ることをさらに備える、請求項３１に記載の方法。
【請求項３３】
前記無線装置が前記ネットワーク装置から切断すると、直前の装置モードに戻ることをさらに備える、請求項３２に記載の方法。
【請求項３４】
前記ユーザが前記ロケーション定義モードを受諾しないとき、前記ロケーション定義モードを拒否するという肯定応答を送信することをさらに備える、請求項２９に記載の方法。
【請求項３５】
装置定義モードに留まること、および
前記ネットワーク装置を介したネットワークへのアクセスが遮断されるという信号を受信することをさらに備える、請求項３４に記載の方法。
【請求項３６】
前記装置定義モードをオーバーライドするためのオーバーライド信号を受信すること、および
前記ロケーション定義モードに入ることをさらに備える、請求項３５に記載の方法。
【請求項３７】
前記ネットワーク装置を介した前記ネットワークへのアクセスを受け取ることをさらに備える、請求項３６に記載の方法。
【請求項３８】
ネットワーク装置との接続を試みるための手段と、
前記ネットワーク装置を介して、ロケーション定義モードに入るための信号を受信するための手段と、
前記ロケーション定義モードを受諾するようユーザを促すための手段とを備える無線装置。
【請求項３９】
前記ユーザが前記ロケーション定義モードを受諾すると、前記ロケーション定義モードを受諾するという肯定応答を送信するための手段をさらに備える、請求項３８に記載の装置。
【請求項４０】
前記ロケーション定義モードに入るための手段をさらに備える、請求項３９に記載の装置。
【請求項４１】
前記ネットワーク装置を介したネットワークへのアクセスを受け取るための手段をさらに備える、請求項４０に記載の装置。
【請求項４２】
前記無線装置が前記ネットワーク装置から切断すると、直前の装置モードに戻るための手段をさらに備える、請求項４１に記載の装置。
【請求項４３】
前記ユーザが前記ロケーション定義モードを受諾しないとき、前記ロケーション定義モードを拒否するという肯定応答を送信するための手段をさらに備える、請求項３８に記載の装置。
【請求項４４】
装置定義モードに留まるための手段と、
前記ネットワーク装置を介したネットワークへのアクセスが遮断されるという信号を受信するための手段とをさらに備える、請求項４３に記載の装置。
【請求項４５】
前記装置定義モードをオーバーライドするためのオーバーライド信号を受信するための手段と、
前記ロケーション定義モードに入るための手段とをさらに備える、請求項４４に記載の装置。
【請求項４６】
前記ネットワーク装置を介した前記ネットワークへのアクセスを受け取るための手段をさらに備える、請求項４５に記載の装置。
【請求項４７】
コンピュータに、ネットワーク装置との接続を試みさせる少なくとも１つの命令と、
コンピュータに、前記ネットワーク装置を介して、ロケーション定義モードに入るための信号を受信させる少なくとも１つの命令と、
コンピュータに、前記ロケーション定義モードを受諾するようユーザを促させる少なくとも１つの命令とを備えるコンピュータ可読媒体を備えるコンピュータプログラム製品。
【請求項４８】
前記コンピュータ可読媒体が、
前記ユーザが前記ロケーション定義モードを受諾すると、コンピュータに、前記ロケーション定義モードを受諾するという肯定応答を送信させる少なくとも１つの命令をさらに備える、請求項４７に記載のコンピュータプログラム製品。
【請求項４９】
前記コンピュータ可読媒体が、
コンピュータを、前記ロケーション定義モードに入らせる少なくとも１つの命令をさらに備える、請求項４８に記載のコンピュータプログラム製品。
【請求項５０】
前記コンピュータ可読媒体が、
コンピュータに、前記ネットワーク装置を介したネットワークへのアクセスを受け取らせる少なくとも１つの命令をさらに備える、請求項４９に記載のコンピュータプログラム製品。
【請求項５１】
前記コンピュータ可読媒体が、
前記無線装置が前記ネットワーク装置から切断すると、コンピュータを、直前の装置モードに戻らせる少なくとも１つの命令をさらに備える、請求項５０に記載のコンピュータプログラム製品。
【請求項５２】
前記コンピュータ可読媒体が、
前記ユーザが前記ロケーション定義モードを受諾しないとき、コンピュータに、前記ロケーション定義モードを拒否するという肯定応答を送信させる少なくとも１つの命令をさらに備える、請求項４７に記載のコンピュータプログラム製品。
【請求項５３】
前記コンピュータ可読媒体が、
コンピュータを装置定義モードに留まらせる少なくとも１つの命令と、
コンピュータに、前記ネットワーク装置を介したネットワークへのアクセスが遮断されるという信号を受信させる少なくとも１つの命令とをさらに備える、請求項５２に記載のコンピュータプログラム製品。
【請求項５４】
前記コンピュータ可読媒体が、
コンピュータに、前記装置定義モードをオーバーライドするためのオーバーライド信号を受信させる少なくとも１つの命令と、
コンピュータを、前記ロケーション定義モードに入らせる少なくとも１つの命令とをさらに備える、請求項５３に記載のコンピュータプログラム製品。
【請求項５５】
前記コンピュータ可読媒体が、
コンピュータに、前記ネットワーク装置を介した前記ネットワークへのアクセスを受け取らせる少なくとも１つの命令をさらに備える、請求項５４に記載のコンピュータプログラム製品。
【請求項５６】
プロセッサと、
前記プロセッサにとってアクセス可能なメモリとを備える無線装置であって、前記メモリが、
ネットワーク装置との接続を試みる少なくとも１つの命令と、
前記ネットワーク装置を介して、ロケーション定義モードに入るための信号を受信する少なくとも１つの命令と、
前記ロケーション定義モードを受諾するようユーザを促す少なくとも１つの命令とを備える装置。
【請求項５７】
前記メモリが、
前記ロケーション定義モードを前記ユーザが受諾すると、前記ロケーション定義モードを受諾するという肯定応答を送信する少なくとも１つの命令をさらに備える、請求項５６に記載の装置。
【請求項５８】
前記メモリが、
前記ロケーション定義モードに入る少なくとも１つの命令をさらに備える、請求項５７に記載の装置。
【請求項５９】
前記メモリが、
前記ネットワーク装置を介したネットワークへのアクセスを受け取る少なくとも１つの命令をさらに備える、請求項５８に記載の装置。
【請求項６０】
前記メモリが、
前記無線装置が前記ネットワーク装置から切断すると、直前の装置モードに戻る少なくとも１つの命令をさらに備える、請求項５９に記載の装置。
【請求項６１】
前記メモリが、
前記ロケーション定義モードを前記ユーザが受諾しないとき、前記ロケーション定義モードを拒否するという肯定応答を送信する少なくとも１つの命令をさらに備える、請求項５６に記載の装置。
【請求項６２】
前記メモリが、
装置定義モードに留まる少なくとも１つの命令と、
前記ネットワーク装置を介したネットワークへのアクセスが遮断されるという信号を受信する少なくとも１つの命令とをさらに備える、請求項６１に記載の装置。
【請求項６３】
前記メモリが、
前記装置定義モードをオーバーライドするためのオーバーライド信号を受信する少なくとも１つの命令と、
前記ロケーション定義モードに入る少なくとも１つの命令とをさらに備える、請求項６２に記載の装置。
【請求項６４】
前記メモリが、
前記ネットワーク装置を介した前記ネットワークへのアクセスを受け取る少なくとも１つの命令をさらに備える、請求項６３に記載の装置。
【請求項６５】
無線装置の所でモード変更を受信する方法であって、
ロケーション識別子を受信すること、および
前記ロケーション識別子に関連づけられたロケーション定義モードを見つけるために、ロケーション識別子テーブルを探索することを備える方法。
【請求項６６】
ロケーション定義モードが見つからないとき、装置定義モードに留まることをさらに備える、請求項６５に記載の方法。
【請求項６７】
前記ロケーション識別子テーブル中でロケーション定義モードが見つかると、ロケーション定義モードを受諾するよう、ユーザを促すことをさらに備える、請求項６５に記載の方法。
【請求項６８】
ユーザが前記ロケーション定義モードを受諾すると、装置定義モードからロケーション定義モードに切り換えることをさらに備える、請求項６７に記載の方法。
【請求項６９】
ユーザが前記ロケーション定義モードを拒絶すると、装置定義のモードに留まることをさらに備える、請求項６７に記載の方法。
【請求項７０】
退出インジケータが受信されるかどうか判定することをさらに備える、請求項６８に記載の方法。
【請求項７１】
退出インジケータが受信されないとき、ロケーション定義モードに留まることをさらに備える、請求項７０に記載の方法。
【請求項７２】
前記退出インジケータが受信されると、前記ロケーション定義モードから前記装置定義モードに切り換えることをさらに備える、請求項７０に記載の方法。
【請求項７３】
ロケーション識別子を受信するための手段と、
前記ロケーション識別子に関連づけられたロケーション定義モードを見つけるために、ロケーション識別子テーブルを探索するための手段とを備える無線装置。
【請求項７４】
ロケーション定義モードが見つからないとき、装置定義モードに留まるための手段をさらに備える、請求項７３に記載の装置。
【請求項７５】
前記ロケーション識別子テーブル中でロケーション定義モードが見つかると、ロケーション定義モードを受諾するよう、ユーザを促すための手段をさらに備える、請求項７３に記載の装置。
【請求項７６】
ユーザが前記ロケーション定義モードを受諾すると、装置定義モードからロケーション定義モードに切り換えるための手段をさらに備える、請求項７５に記載の装置。
【請求項７７】
ユーザが前記ロケーション定義モードを拒絶すると、装置定義のモードに留まるための手段をさらに備える、請求項７５に記載の装置。
【請求項７８】
退出インジケータが受信されるかどうか判定するための手段をさらに備える、請求項７６に記載の装置。
【請求項７９】
退出インジケータが受信されないとき、ロケーション定義モードに留まるための手段をさらに備える、請求項７８に記載の装置。
【請求項８０】
前記退出インジケータが受信されると、前記ロケーション定義モードから前記装置定義モードに切り換えるための手段をさらに備える、請求項７８に記載の装置。
【請求項８１】
コンピュータに、ロケーション識別子を受信させる少なくとも１つの命令と、
前記ロケーション識別子に関連づけられたロケーション定義モードを見つけるために、コンピュータに、ロケーション識別子テーブルを探索させる少なくとも１つの命令とを備えるコンピュータ可読媒体を備えるコンピュータプログラム製品。
【請求項８２】
前記コンピュータ可読媒体が、
ロケーション定義モードが見つからないとき、コンピュータを、装置定義モードに留まらせる少なくとも１つの命令をさらに備える、請求項８１に記載のコンピュータプログラム製品。
【請求項８３】
前記コンピュータ可読媒体が、
前記ロケーション識別子テーブル中でロケーション定義モードが見つかると、コンピュータに、ロケーション定義モードを受諾するようユーザを促させる少なくとも１つの命令をさらに備える、請求項８１に記載のコンピュータプログラム製品。
【請求項８４】
前記コンピュータ可読媒体が、
ユーザが前記ロケーション定義モードを受諾すると、コンピュータを、装置定義モードからロケーション定義モードに切り換えさせる少なくとも１つの命令をさらに備える、請求項８３に記載のコンピュータプログラム製品。
【請求項８５】
前記コンピュータ可読媒体が、
ユーザが前記ロケーション定義モードを拒絶すると、コンピュータを、装置定義のモードに留まらせる少なくとも１つの命令をさらに備える、請求項８３に記載のコンピュータプログラム製品。
【請求項８６】
前記コンピュータ可読媒体が、
コンピュータに、退出インジケータが受信されるかどうか判定させる少なくとも１つの命令をさらに備える、請求項８４に記載のコンピュータプログラム製品。
【請求項８７】
前記コンピュータ可読媒体が、
退出インジケータが受信されないとき、コンピュータを、ロケーション定義モードに留まらせる少なくとも１つの命令をさらに備える、請求項８６に記載のコンピュータプログラム製品。
【請求項８８】
前記コンピュータ可読媒体が、
前記退出インジケータが受信されると、コンピュータを、前記ロケーション定義モードから前記装置定義モードに切り換えさせる少なくとも１つの命令をさらに備える、請求項８６に記載のコンピュータプログラム製品。
【請求項８９】
プロセッサと、
前記プロセッサにとってアクセス可能なメモリとを備える無線装置であって、前記メモリが、
ロケーション識別子を受信する少なくとも１つの命令と、
前記ロケーション識別子に関連づけられたロケーション定義モードを見つけるために、ロケーション識別子テーブルを探索する少なくとも１つの命令とを備える装置。
【請求項９０】
前記メモリが、
ロケーション定義モードが見つからないとき、装置定義モードに留まる少なくとも１つの命令をさらに備える、請求項８９に記載の装置。
【請求項９１】
前記メモリが、
前記ロケーション識別子テーブル中でロケーション定義モードが見つかると、ロケーション定義モードを受諾するよう、ユーザを促す少なくとも１つの命令をさらに備える、請求項８９に記載の装置。
【請求項９２】
前記メモリが、
ユーザが前記ロケーション定義モードを受諾すると、装置定義モードからロケーション定義モードに切り換える少なくとも１つの命令をさらに備える、請求項９１に記載の装置。
【請求項９３】
前記メモリが、
ユーザが前記ロケーション定義モードを拒絶すると、装置定義のモードに留まる少なくとも１つの命令をさらに備える、請求項９１に記載の装置。
【請求項９４】
前記メモリが、
退出インジケータが受信されるかどうか判定する少なくとも１つの命令をさらに備える、請求項９２に記載の装置。
【請求項９５】
前記メモリが、
退出インジケータが受信されないとき、ロケーション定義モードに留まる少なくとも１つの命令をさらに備える、請求項９４に記載の装置。
【請求項９６】
前記メモリが、
前記退出インジケータが受信されると、前記ロケーション定義モードから前記装置定義モードに切り換える少なくとも１つの命令をさらに備える、請求項９４に記載の装置。
【請求項９７】
メッセージ通信ユニットを備える無線装置であって、前記メッセージ通信ユニットが、位置定義サービスに位置情報を伝達するように構成され、前記メッセージ通信ユニットが、前記位置情報に少なくとも部分的に基づく少なくとも１つのロケーション定義モードを前記位置定義サービスから受信するように構成される装置。
【請求項９８】
近接ユニットをさらに備え、前記近接ユニットが、ロケーションコードタグ、ＲＦＩＤタグ、またはその組合せと通信するように構成され、前記近接ユニットが、前記ロケーションコードタグ、前記ＲＦＩＤタグ、またはその組合せに少なくとも部分的に基づいてロケーションを識別するように構成され、前記近接ユニットが、前記無線装置を、前記ロケーションに基づいてロケーション定義モードに選択的に切り換えさせるように構成される、請求項９７に記載の装置。
【発明の詳細な説明】
【技術分野】
【０００１】
本開示は概して、無線装置の動作に関し、より詳細には、無線装置の動作モードを変更するシステムおよび方法に関する。
【背景技術】
【０００２】
無線装置、たとえばセル電話、携帯情報端末、テキストデバイス、ラップトップコンピュータなどが、広く行き渡っている。このような装置のほとんどのユーザは、少なくとも１つのこのような装置をどこにでも持ち歩く。こうした装置に関連した設定および個別設定されたコンテンツ、たとえば壁紙、スクリーンセーバ、ディスプレイの背景などは、変化せず、あらゆる状況において同じままでいることができる。残念ながら、ある特定の装置のコンテンツおよび設定は、すべてのロケーションにとって常に適切なわけではない。したがって、このような装置のユーザは、ロケーションに基づいて装置設定を手動変更しなければならない場合がある。ユーザは、ロケーション（たとえば、職場）向けに装置設定を変更し、リセットし、あるいは、別のロケーション（たとえば、家庭）向けに装置設定を変更しなければならない場合がある。
【発明の概要】
【０００３】
したがって、上記短所に対処するためのシステムおよび１つまたは複数の方法が必要とされている。
【０００４】
以下は、１つまたは複数の態様の基本的な理解のために、このような態様の簡略化した要約を提示している。この要約は、企図したすべての態様の包括的な概要ではなく、すべての態様の主要または重大な要素を明らかにすることも、一部または全部の態様の範囲を定めることも意図していない。その唯一の目的は、後で提示するより詳細な説明の前置きとして、１つまたは複数の態様のいくつかの概念を、簡略化した形で提示することである。
【０００５】
一態様によると、無線装置にモード変更を提供する方法が提供される。この方法は、ピアまたはインフラストラクチャネットワーク装置と接続するためのリクエストを無線装置から受信すること、およびロケーション定義モードに入るための信号を無線装置に送ることを含み得る。
【０００６】
本開示の別の態様では、ネットワークへのアクセスを提供する装置が提供される。この装置は、ピアまたはインフラストラクチャネットワーク装置と接続するためのリクエストを無線装置から受信するための手段と、ロケーション定義モードに入るための信号を無線装置に送るための手段とを含み得る。
【０００７】
本開示のさらに別の態様では、コンピュータ可読媒体を含むコンピュータプログラム製品が提供される。このコンピュータ可読媒体は、ピアまたはインフラストラクチャネットワーク装置と接続するためのリクエストを無線装置から受信する少なくとも１つの命令と、ロケーション定義モードに入るための信号を無線装置に送る少なくとも１つの命令とを含み得る。
【０００８】
本開示のさらに別の態様では、ネットワークへのアクセスを提供する装置が提供される。この装置は、プロセッサおよびプロセッサにとってアクセス可能なメモリを含み得る。このメモリは、ペアまたはインフラストラクチャネットワーク装置と接続するためのリクエストを無線装置から受信する少なくとも１つの命令と、ロケーション定義モードに入るための信号を無線装置に送る少なくとも１つの命令とを含み得る。
【０００９】
本開示の別の態様では、モード変更を無線装置にて受信する方法が提供される。この方法は、ピアまたはインフラストラクチャネットワーク装置との接続を試みること、ネットワーク装置を介して、ロケーション定義モードに入るための信号を受信すること、およびロケーション定義モードを受諾するようユーザを促すことを含み得る。
【００１０】
本開示のさらに別の態様では、無線装置が提供される。この無線装置は、ピアまたはインフラストラクチャネットワーク装置との接続を試みるための手段と、ネットワーク装置を介して、ロケーション定義モードに入るための信号を受信するための手段と、ロケーション定義モードを受諾するようユーザを促すための手段とを含み得る。
【００１１】
本開示のさらに別の態様では、コンピュータ可読媒体を含むコンピュータプログラム製品が提供される。このコンピュータ可読媒体は、ピアまたはインフラストラクチャネットワーク装置との接続を試みる少なくとも１つの命令と、ネットワーク装置を介して、ロケーション定義モードに入るための信号を受信する少なくとも１つの命令と、ロケーション定義モードを受諾するようユーザを促す少なくとも１つの命令とを含み得る。
【００１２】
本開示の別の態様では、プロセッサおよびプロセッサにとってアクセス可能なメモリを有する無線装置が提供される。このメモリは、ピアまたはインフラストラクチャネットワーク装置との接続を試みる少なくとも１つの命令と、ネットワーク装置を介して、ロケーション定義モードに入るための信号を受信する少なくとも１つの命令と、ロケーション定義モードを受諾するようユーザを促す少なくとも１つの命令とを含み得る。
【００１３】
本開示のさらに別の態様では、無線装置にてモード変更を受信する方法が提供される。この方法は、ロケーション識別子を受信すること、およびロケーション識別子に関連づけられたロケーション定義モードを見つけるためにロケーション識別子テーブルを探索することを含み得る。
【００１４】
本開示のさらに別の態様では、無線装置が提供される。この無線装置は、ロケーション識別子を受信するための手段と、ロケーション識別子に関連づけられたロケーション定義モードを見つけるためにロケーション識別子テーブルを探索するための手段とを含み得る。
【００１５】
本開示の別の態様では、コンピュータ可読媒体を含むコンピュータプログラム製品が提供される。このコンピュータ可読媒体は、ロケーション識別子を受信する少なくとも１つの命令と、ロケーション識別子に関連づけられたロケーション定義モードを見つけるためにロケーション識別子テーブルを探索する少なくとも１つの命令とを含み得る。
【００１６】
本開示の別の態様では、プロセッサおよびプロセッサにとってアクセス可能なメモリを有する無線装置が提供される。このメモリは、ロケーション識別子を受信する少なくとも１つの命令と、ロケーション識別子に関連づけられたロケーション定義モードを見つけるためにロケーション識別子テーブルを探索する少なくとも１つの命令とを含み得る。
【００１７】
本開示のさらに別の態様では、無線装置が提供され、この装置はメッセージ通信ユニットを含み得る。このメッセージ通信ユニットは、位置定義サービスに位置情報を伝達するように構成され得る。さらに、メッセージ通信ユニットは、位置情報に少なくとも部分的に基づいて、位置定義サービスから少なくとも１つのロケーション定義モードを受信するように構成され得る。
【００１８】
図面において、同じ参照番号は、特段の指示がない限り、様々な図面を通して同じ部分を指す。
【図面の簡単な説明】
【００１９】
【図１】一態様による、無線装置にモード変更を提供するシステムを示すブロック図。
【図２】一態様による第１の無線装置を示すブロック図。
【図３】一態様による第２の無線装置を示すブロック図。
【図４】一態様による第３の無線装置を示すブロック図。
【図５】一態様による、無線装置にモード変更を提供する方法を示す流れ図。
【図６】一態様による、無線装置にてモード変更を受信する第１の方法を示す流れ図。
【図７】一態様による、無線装置にてモード変更を受信する第２の方法を示す流れ図。
【発明を実施するための形態】
【００２０】
本開示の様々な態様を以下に記載する。本明細書における教示内容は非常に様々な形で実施することができ、本明細書で開示するあらゆる具体的な構造、機能、またはその両方は、代表的なものに過ぎないことが明らかであろう。本明細書における教示内容に基づき、本明細書で開示する態様は、他のどの態様からも独立して実装することができ、こうした態様の２つ以上は、様々なやり方で組み合わされ得ることが当業者には理解されよう。たとえば、本明細書で説明する任意の数の態様を用いて、機器を実装することも、方法を実施することもでき得る。さらに、他の構造および機能性、または本明細書で説明する態様の１つもしくは複数に加えられる、もしくはそれ以外の構造、機能性を用いて、このような機器を実装することも、このような方法を実施することもでき得る。さらに、１つの態様が、請求項の少なくとも１つの要素を備え得る。
【００２１】
以下の記述では、説明目的で、多数の具体的詳細を、１つまたは複数の態様の完全な理解のために説明する。ただし、こうした態様（１つまたは複数）は、こうした具体的詳細なしで実施され得ることが明らかであろう。他の事例では、公知の構造および装置を、１つまたは複数の態様の説明を容易にするためにブロック図の形で示す。
【００２２】
本説明では、「アプリケーション」という用語は、たとえばオブジェクトコード、スクリプト、バイトコード、マークアップ言語ファイル、およびパッチなど、実行可能コンテンツをもつファイルも含み得る。さらに、本明細書で言及する「アプリケーション」は、開かれる必要があり得る文書など、本質的に実行可能でないファイルまたはアクセスされる必要がある他のデータファイルも含み得る。
【００２３】
「コンテンツ」という用語は、オブジェクトコード、スクリプト、バイトコード、マークアップ言語ファイル、およびパッチなど、実行可能コンテンツをもつファイルも含み得る。さらに、本明細書で言及する「コンテンツ」は、開かれる必要があり得る文書など、本質的に実行可能でないファイルまたはアクセスされる必要がある他のデータファイルも含み得る。
【００２４】
本説明では、「通信装置」、「無線装置」、および「無線通信装置」という用語は、入れ替えて使われる。第３世代（３Ｇ）無線技術の出現に伴い、帯域幅がより利用可能になり、その結果より多くの電子装置が無線能力をもてるようになった。したがって、非限定的態様では、無線装置は、セルラー電話、ページャ、ＰＤＡ、スマートフォン、ナビゲーション装置、無線接続つきコンピュータ、またはプロセッサ、メモリ、および無線ネットワークインターフェースを有する他の任意の移動体装置でもよい。
【００２５】
最初に図１を参照するが、トーン態様により、無線装置にモード変更を提供するシステムが示されており、全体を１００で指定してある。図示するように、システム１００は、ロケーション１０２およびロケーション１０２内のサブロケーション１０４を含み得る。たとえば、ロケーション１０２は、オフィス、家、会社、事業ロケーション群、他の任意の建物、もしくは建物群、指定されたエリア、またはその組合せでよい。ロケーション１０２は、公園、野外円形劇場、またはその組合せも含み得る。さらに、ロケーション１０２は、飛行機、バス、鉄道車両、自動車、トレーラトラック、または他の運送機でよい。サブロケーション１０４は、たとえば、寝室、ホームオフィス、勉強部屋、書斎、ライブラリなど、ロケーション１０２内部の部屋でよい。本明細書において意図する限り、ロケーション１０２は、たとえば、半径をもつ中心点を中心とする、静止した相対的ロケーションではなく、ロケーション１０２とともに移動し得る。たとえば、ロケーションは、警察車両の周りに設置してよく、警察車両がある場合、民間車両に関連した一定の設定が、民間車両にプッシュされ得る。たとえば、ラジオの音量を下げ、またはある特定のＦＭ局にチューニングして、警官からの命令を聞くための命令が、警察車両によって民間車両にプッシュされ得る。さらに、高速追跡の場合、警察車両は、民間車両が警察車両から逃れることをさらに試み、無害な傍観者を危険に陥れるのを防ぐために、民間車両を停止させるための命令をプッシュし得る。
【００２６】
図１に示すように、システム１００は、ロケーション１０２内に置かれ得る少なくとも１つのロケーションコードタグ１０６を含み得る。具体的には、ロケーションコードタグ１０６は、ロケーション１０２への入口の近くに置かれ得る。ロケーションコードタグ１０６は、バーコード、ホログラム、部屋番号、記号、ある特定の物理特徴、または、たとえばバーコードリーダ、ホログラムリーダ、カメラ、類似装置など、もしくはその組合せにより無線装置１２２によって認識することができ得る他の何らかの視覚インジケータでよい。システム１００は、ロケーション１０２の入口の近くに位置決めされ、あるいは置かれ得る少なくとも１つのＲＦＩＤタグ１０８も含み得る。ある特定の態様では、ＲＦＩＤタグ１０８は、アクティブＲＦＩＤタグ、パッシブＲＦＩＤタグ、またはその両方の組合せでよい。後でより詳細に記載するように、ロケーションコードタグ１０６、ＲＦＩＤタグ１０８、またはその両方の組合せは、ロケーションコードタグ１０６またはＲＦＩＤタグ１０８を認識する無線装置内部でモード変更をトリガするのに使うことができ得る。
【００２７】
図１は、システム１００が、ネットワーク１１２、たとえばインターネットなどへのアクセスを提供し得るネットワーク装置１００、たとえばピアネットワーク装置、インフラストラクチャネットワーク装置、またはその組合せも含み得ることを示す。ネットワーク装置１１０は、ロケーション１０２の内側に配置され得る。さらに、システム１１４は、ネットワーク装置１１０に接続され得る第１のマイクロプロセッサ１１４を含み得る。システム１００は、パーソナルエリアネットワーク１１８へのアクセスを提供し得るパーソナルエリアネットワーク（ＰＡＮ）装置１１６を含み得る。また、第２のマイクロプロセッサ１２０は、ＰＡＮ装置１１６に接続され得る。
【００２８】
図１に示すように、システム１００は、無線装置１２２を含み得る。無線装置１２２は、通信アンテナ１２４を介して無線ネットワークと通信することができ得る。通信アンテナ１２４は、サーバ１２６に接続することができ、サーバ１２６は、データベース１２８に接続することができ得る。サーバ１２６およびデータベース１２８は、位置定義サービス１３０の一部でよい。さらに、サーバ１２６は、サーバ１２６内部のプロセッサ（図示せず）にアクセス可能なメモリ（図示せず）内部に配置されたメッセージ通信ユニット１３２を含んでよい。メッセージ通信ユニット１３２は、無線装置１２２内部の対応するメッセージ通信ユニットロケーションと通信することができ得る。メッセージ通信ユニットについては、下でより詳しく説明する。
【００２９】
ある特定の態様では、位置定義サービス１３０は、比較的多数の様々なロケーションにおける知的な自動設定を認めることができ得る様々なロケーションジャンルについてのコミュニティ定義情報を含み得る。位置定義サービス１３０は、３タイプのユーザによって利用され得る。こうしたユーザは、情報を検索し、または購読することを望む無線装置ユーザ、自身の情報を投入することを望む無線装置ユーザまたはウェブユーザ、および特定のロケーション向けの自動構成を定義することを望むユーザを含み得る。
【００３０】
第１のタイプのユーザの場合、後で詳しく説明する、無線装置内部のメッセージ通信ユニットは、位置定義サービス１３０への無線経由インターフェースを介して通信し得る。位置定義サービス１３０は、緯度／経度情報を受信し、適切なゾーン帰属関係詳細、利用可能アクション、およびこうしたアクションが任意選択か、それとも必須かを返すことができ得る。
【００３１】
第２のタイプのユーザの場合、位置定義サービス１３０は、共有されることをユーザが指定した無線装置内部のメッセージ通信ユニットから緯度／経度情報を受信し、重複を避けるために、位置定義サービス１３０内の定義済みゾーンおよびジャンルと突き合わせて情報を処理し、肯定応答を返すことができ得る。同様に、位置定義サービス１３０は、同じ情報を、ウェブサイトを介したユーザによる構成を認めるように、入出力インターフェースおよびソフトウェアを介して受信し処理することが可能である。ゾーンは、ロケーション群を含んでよく、ユーザによって設定され得る。たとえば、ユーザは、特定のゾーンの外辺部、または境界を定義する座標を送信することができ得る。あるいは、ユーザは、特定のロケーションに対応するアドレスと、特定のアドレスに関連づけられたジャンルまたは挙動とを送信することができ得る。
【００３２】
第３のタイプのユーザ、すなわち、任意選択または必須状態で、予め定義された設定を利用者に提案しようとするロケーション所有者は、位置定義サービス１３０の入出力インターフェースおよびソフトウェアを介して、ゾーンおよびこうしたゾーン内でのアクションを構成するためのアクセスを有し得る。
【００３３】
無線装置へのアクションの必須プッシュは、立法による介入を要求し得ることを理解されたい。その結果生じる法律は、所有者ロケーション認証および許可のための方法を確立することが見込まれる。予め定義されたジャンルは、このような必須プッシュを構成する際に使用するために利用可能にされてよく、こうした予め定義されたジャンルは、異なるロケーションおよびジャンルをもつ、正しく関連づけられた異なるタイプのコンテンツおよびアクションへの必要性に応じて、コンテンツ分類システムに適合し得る。後で詳しく説明するように、ジャンル更新は、更新するのに必要な他の情報とともに、無線装置とも同期され、無線装置内部の状況認知ユニットが機能する能力を高め得る。位置定義サービス１３０によって定義されるアクションに加えて、ユーザは、様々なロケーションに遭遇したときにとられるアクションに関する嗜好を定義することもでき得る。
【００３４】
ある特定の態様では、無線装置１２２がロケーション１０２の外部に配置されているとき、無線装置１２２は、通常モードで動作している可能性がある。通常モードは、無線装置１２２の完全機能性、たとえば、通常呼出し音、呼の完全受諾、テキストメッセージ通信の完全使用、ｅメールの完全な使用などを提供し得る。
【００３５】
ただし、無線装置１２２がロケーション１０２に移されると、無線装置１２２は、オーバーライド命令を介して、第１のロケーション定義モードに変わるよう依頼され、または強制される場合がある。
【００３６】
無線装置１２２がネットワーク装置１１０との接触を開始すると、モード変更が開始され得る。たとえば、無線装置１２２がロケーション１０２に持って行かれると、無線装置１２２は、ネットワークカードを介して、ネットワーク装置１１０への接続を自動的に試みることができ得る。ネットワーク装置１１０と無線装置１２２との間のハンドシェイクプロセス中、無線装置１２２は、ネットワーク装置１１０、または装置１１０に接続された第１のマイクロプロセッサ１１４によって、第１のロケーション定義モードに入るよう命令され得る。言い換えると、無線装置１２２は、装置定義モードからロケーション定義モードに切り換わり得る。第１のロケーション定義モードに入るための命令に無線装置１２２が従わない場合、無線装置１２２がネットワーク１１２へのアクセスをネットワーク装置１１０によって拒否され得るように、システム１００を構成することができ得る。言い換えると、ネットワーク装置１１０を介してネットワーク１１２にアクセスするために、無線装置１２２は、通常モードから第１のロケーション定義モードへのモード変更を受諾しなければならない場合がある。たとえば、企業秘密に関連した政府規制や事業規則により、制限されたロケーションに無線装置１２２が入る場合、無線装置１２２は、カメラを不能にするための遠隔信号を受信し得る。無線装置１２２が、カメラを不能にすることを拒絶した場合、ネットワーク装置１１０にとってアクセス可能なソフトウェアは、セキュリティ担当者が装置を没収することができ得るように、物理セキュリティ担当者に警告するように構成すればよい。
【００３７】
別の態様では、モード変更は、ロケーションコードタグ１０６またはＲＦＩＤタグ１０８を認識すると開始され得る。言い換えると、ロケーション１０２に入ると、ユーザは、無線装置１２２を使ってロケーションコードタグ１０６の写真を撮ることができ得る。無線装置１２２は、ロケーションコードタグ１０６の写真を内部テーブルと比較することも、ロケーションコード認識のための他の何らかの方法を用いることもでき、ロケーションコードタグ１０６の認識に成功した後で、無線装置１２２は、通常モードから、ロケーションコードタグ１０６に関連づけられた第１のロケーション定義モードに変わり得る。ＲＦＩＤタグ１０８のケースでは、無線装置１２２がＲＦＩＤタグ１０８の範囲内にあり、ＲＦＩＤタグ１０８を認識することができ得るとき、ＲＦＩＤタグ１０８は、通常モードから第１のロケーション定義モードに変わるための命令を突き止めるために、コードのテーブルと比較され得るコードを含み得る。それ以外の場合、ＲＦＩＤタグ１０８は、無線装置１２２がＲＦＩＤタグ１０８を認識した後で無線装置１２２に命令を送信するだけでよい。ロケーションへの近接性は、ピア装置またはネットワーク装置１１０によっても判定され得ることが理解できよう。
【００３８】
図１に示すように、無線装置１２２がロケーション１０２内部のサブロケーション１０４に入ると、無線装置１２２は、第１のロケーション定義モードから第２のロケーション定義モードに移るようにさらに命令され得る。この移行は、サブロケーション１０４への入口にて、またはその近くに置かれ得る別のロケーションコードタグ（図示せず）または別のＲＦＩＤタグ（図示せず）に基づき得る。
【００３９】
あるいは、無線装置１２２がＰＡＮ装置１１６との接触を開始すると、モード変更が開始され得る。たとえば、無線装置１２２がサブロケーション１０４内に移されると、無線装置１２２は、ネットワークカードを介して、ＰＡＮ装置１１６への接続を自動的に試みることができ得る。ＰＡＮ装置１１６との初期通信中、無線装置１２２は、ＰＡＮ装置１１６、または装置１１６に接続された第２のマイクロプロセッサ１２０によって、第２のロケーション定義モードに入るよう命令され得る。第２のロケーション定義モードに入るための命令に無線装置１２２が従わない場合、無線装置１２２は、ＰＡＮ装置１１６によってネットワーク１１８へのアクセスを拒否され得るように、システム１００を構成することができ得る。言い換えると、ＰＡＮ装置１１６を介してネットワーク１１８にアクセスするために、無線装置１２２は、第１のロケーション定義モードから第２のロケーション定義モードへのモード変更を受諾しなければならない場合がある。繰り返しになるが、セキュリティの観点において、無線装置１２２内部のカメラを不能にするための遠隔命令に無線装置１２２が従わない場合、セキュリティ担当者は、無線装置１２２を没収するよう命令され得る。
【００４０】
本開示の別の態様において、無線装置１２２の動きは、無線装置１２２内部の全地球測位モジュールを介して通信アンテナ１２４によって、利用可能なセルラー通信タワーとタワーロケーションデータとの間の三角測量に基づくロケーション翻訳によって、またはその組合せ（すなわち、補助ＧＰＳ）で監視することができ得る。無線装置１２２の動きに基づいて、無線装置１２２は、通信アンテナ１２４を介してサーバ１２６から、サーバ１２６に結合されたデータベース１２８中のルックアップテーブルに格納された様々な実際のＧＰＳ座標または翻訳ＧＰＳ座標に関連づけられた様々なモードに入るための命令を受信することができ得る。
【００４１】
ある特定の態様では、ロケーション定義モード、たとえば、本明細書で論じる第１のロケーション定義モードまたは第２のロケーション定義モードは、無線装置１２２がロケーション１０２または関連づけられたネットワーク装置１１０に近接している間に無線装置１２２の少なくとも１つの挙動を定義することができ得る。無線装置１２２の少なくとも１つの挙動は、テーマ、着信音、着信音量、振動設定、警告音量、インスタントメッセージ通信のプレゼンス、メッセージ受信設定、呼ルーティング設定（すなわち、職場または家庭にいる間の、一定の呼のボイスメールへの直接ルーティング）、チャットハンドリング設定（すなわち、受話口へのチャットのルーティング）、接続性設定（たとえば、ブルートゥース、ＯＦＤＭ／ＯＦＤＭＡ、ＷｉＦｉ、無線アクセスなど）、バディーリスト、ボタン押下音量、アラーム音量、テキスト警告音量、スクリーンセーバ、ディスプレイ背景、壁紙、またはその任意の組合せでよい。別の態様では、ロケーション定義モードは、ロケーションによって、無線装置のユーザ、コミュニティ、またはその組合せによって定義され得る。
【００４２】
ロケーション定義モードは、ロケーション１０２内部のユーザグループの間で進行中のゲームにユーザが加わるように促されるゲームモードでもよい。ある特定のロケーションに入るユーザは、ユーザを、ロケーション１０２内で進行中の現実のゲームにおけるプレーヤにする設定を受諾するよう促され得る。ユーザは、ニックネーム、アバター、キャラクタ、ゲームに関連する他の情報、またはその組合せを共有するよう促され得る。さらに、たとえば、ネットワーク装置１１０を介した、無線装置１２２とロケーション１０２との間でのやり取りの間、ユーザは、チームへの自動割当て、チームまたは他のプレーヤへの自動所属、対戦クラスの自動割当てなどを受信し得る。また、ユーザは、割当て、タスク、ギア、バッジ、ユニフォームなどを受信し得る。さらに、ロケーション定義モードは、ある特定の歌、複数の歌、歌の部分、またはその組合せのプッシュを含み得る。
【００４３】
ロケーション定義モードは、ある特定のビジネス、またはロケーションに関連した広告または「特別品」をロケーション定義モードが無線装置１２２に表示させる広告モードでもよく、この場合無線装置１２２は、ユーザの近接に持って行かれる。たとえば、ユーザが「ウィンドウショッピング」をしているとき、ロケーション１０２は、無線装置１２２に広告をプッシュすればよい。
【００４４】
図２を参照すると、一態様により、無線装置の例示的な非限定的態様が示されており、全体を２２０で指定してある。図示するように、無線装置２２０は、互いに結合されたディジタル信号プロセッサ２２４およびアナログ信号プロセッサ２２６を含むオンチップシステム２２２を含む。図２に示すように、ディスプレイコントローラ２２８およびタッチスクリーンコントローラ２３０は、ディジタル信号プロセッサ２２４に結合される。一方、オンチップシステム２２２の外部のタッチスクリーンディスプレイ２３２は、ディスプレイコントローラ２２８およびタッチスクリーンコントローラ２３０に結合される。
【００４５】
図２は、ビデオ符号器２３４、たとえば、位相反転線（ＰＡＬ）符号器、順次式カラーメモリ（ＳＥＣＡＭ）符号器、または全米テレビシステム委員会（ＮＴＳＣ）符号器が、ディジタル信号プロセッサ２２４に結合されることをさらに示している。さらに、ビデオ増幅器２３６が、ビデオ符号器２３４およびタッチスクリーンディスプレイ２３２に結合される。また、ビデオポート２３８が、ビデオ増幅器２３６に結合される。図２に示すように、ユニバーサルシリアルバス（ＵＳＢ）コントローラ２４０が、ディジタル信号プロセッサ２２４に結合される。また、ＵＳＢポート２４２が、ＵＳＢコントローラ２４０に結合される。メモリ２４４および加入者識別モジュール（ＳＩＭ）カード２４６も、ディジタル信号プロセッサ２２４に結合され得る。さらに、図２に示すように、ディジタルカメラ２４８が、ディジタル信号プロセッサ２２４に結合され得る。例示的な態様では、ディジタルカメラ２４８は、電荷結合素子（ＣＣＤ）カメラまたは相補型金属酸化膜半導体（ＣＭＯＳ）カメラである。
【００４６】
さらに図２に示すように、ステレオ音声コーデック２５０が、アナログ信号プロセッサ２２６に結合され得る。さらに、音声増幅器２５２が、ステレオ音声コーデック２５０に結合され得る。例示的な態様では、第１のステレオスピーカ２５４および第２のステレオスピーカ２５６が、音声増幅器２５２に結合される。図２は、マイクロホン増幅器２５８もステレオ音声コーデック２５０に結合され得ることを示す。さらに、マイクロホン２６０が、マイクロホン増幅器２５８に結合され得る。ある特定の態様では、周波数変調（ＦＭ）ラジオチューナ２６２が、ステレオ音声コーデック２５０に結合され得る。振幅変調（ＡＭ）ラジオチューナ（図示せず）も、オンチップシステム２２２内に含まれ得る。また、ＦＭアンテナ２６４が、ＦＭラジオチューナ２６２に結合される。さらに、ステレオヘッドホン２６６が、ステレオ音声コーデック２５０に結合され得る。
【００４７】
ある特定の態様では、ロケーションは、上で論じた要素の１つに関連づけられた設定を自動調整することができ得る。たとえば、ロケーション、たとえば競技場は、放送されている実況情報にファンを向けるため、または緊急の場合には、切迫した気象状態および避難情報を含む緊急情報を聞くために、ＦＭチューニング設定またはＡＭチューニング設定を、無線装置２２０にプッシュすることができ得る。また、ロケーション、たとえば空港、駅またはバス停は、ロケーションに関する関連情報、たとえば遅延、天候、不通、休止などに旅客を向けるために、ＦＭチューニング設定またはＡＭチューニング設定を無線装置２２０にプッシュすることができ得る。ロケーション、たとえば飛行機、ジェット機、電車またはバスも、到着時間、直近の駅での停車などに関する情報をユーザに聞かせるために、チューニング設定を無線装置２２０にプッシュすることができ得る。さらに、ロケーションは、たとえば、パブリックアドレス（ＰＡ）システムにより行われるアナウンスをユーザに聞かせるために、無線装置２２０の音量を下げることができ得る音量設定をプッシュすることができ得る。ＦＭチューニング設定またはＡＭチューニング設定に加えて、ロケーションは、無線装置２２０にインターネット放送設定（すなわち、インターネットストリーミングラジオ用）をプッシュすることができ、無線装置２２０内部のブラウザは、インターネット放送設定に関連づけられたインターネットアドレスにリダイレクトされ得る。さらに、無線装置２２０が衛星ラジオを受信するように構成されている場合、ロケーションは、無線装置２２０に衛星ラジオ設定をプッシュすることができ得る。
【００４８】
図２は、無線周波数（ＲＦ）トランシーバ２６８がアナログ信号プロセッサ２２６に結合され得ることをさらに示している。ＲＦスイッチ２７０が、ＲＦトランシーバ２６８およびＲＦアンテナ２７２に結合され得る。図２に示すように、キーパッド２７４が、アナログ信号プロセッサ２２６に結合され得る。さらに、マイクロホンつきモノラルヘッドフォン２７６が、アナログ信号プロセッサ２２６に結合され得る。さらに、バイブレータ装置２７８が、アナログ信号プロセッサ２２６に結合され得る。図２は、電源２８０がオンチップシステム２２２に結合され得ることをさらに示す。ある特定の態様では、電源２８０は、電力を要求する、無線装置２２０の様々な構成要素に電力を供給する直流（ＤＣ）電源である。さらに、ある特定の態様では、電源は、ＡＣ電力源に接続された交流（ＡＣ）−ＤＣ変圧器から導出される充電可能なＤＣバッテリまたはＤＣ電源である。充電可能なＤＣバッテリのケースでは、ロケーションは、無線電力充電および適切な設定を受諾するための勧誘をプッシュすることができ得る。
【００４９】
図２は、無線装置２２０が、データネットワーク、たとえば、ローカルエリアネットワーク、パーソナルエリアネットワーク、または他の任意のネットワークにアクセスするのに使われ得るネットワークカード２８２も含み得ることをさらに示す。ネットワークカード２８２は、ブルートゥースネットワークカード、ＷｉＦｉネットワークカード、パーソナルエリアネットワーク（ＰＡＮ）カード、パーソナルエリアネットワーク超低電力技術（ＰｅＡＮＵＴ）ネットワークカード、または当該分野において公知である他の任意のネットワークカードでよい。さらに、ネットワークカード２８２は、チップに組み込むことができ、すなわち、ネットワークカード２８２は、チップ内の完全ソリューションでよく、別個のネットワークカード２８２でなくてよい。無線装置２２０は、ジャイロスコープ２８４、歩数計２８６、コンパス２８８および高度計２９０も含み得る。ある特定の態様では、コンパス２８８は、磁力計などのディジタルコンパスでよい。ジャイロスコープ２８４、歩数計２８６、コンパス２８８、および高度計２９０は、無線装置２２０のロケーションを、たとえば、建物または他のロケーション内部に確立するために、無線装置２２０の動きを監視するのに使われ得る。言い換えると、ジャイロスコープ２８４、歩数計２８６、コンパス２８８、および高度計２９０は、無線装置を突き止めるための手段を提供し得る。図２に示すように、無線装置２２０は、ＲＦＩＤリーダ２９２も含み得る。ＲＦＩＤリーダ２９２は、ＲＦＩＤタグが無線装置２２０およびＲＦＩＤリーダ２９２の範囲内に入ったときにＲＦＩＤタグを認識するのに使われ得る。本明細書で記載するように、ＲＦＩＤタグは、モードを変更するための命令を無線装置２２０に与えることができ得る。
【００５０】
ある特定の態様では、無線装置２２０は、ＤＳＰ２２４またはアナログ信号プロセッサ２２６に結合され得る全地球測位システム（ＧＰＳ）モジュール２９４をさらに含み得る。ＧＰＳモジュール２９４およびプロセッサ２２４、２２６の少なくとも一方は、単独で、または無線装置２２０にとって利用可能なネットワーク情報とともに、たとえば、無線ネットワークを介してＧＰＳモジュール２９４にとって利用可能なテーブルを使って、無線装置２２０を突き止めるための手段を提供し得る。無線装置２２０は、ホログラムリーダ２９６およびバーコードリーダ２９８も含み得る。ホログラムリーダ２９６およびバーコードリーダ２９８は、戦略的に様々なロケーションに置かれたホログラムまたはバーコードを認識するのに使うことができ、特定のホログラムまたはバーコードを認識すると、無線装置２２０は、特定のホログラムまたはバーコードに関連づけられたロケーションに従ってモードを変更するよう命令され得る。
【００５１】
図２は、無線装置２２０が、ＤＳＰ２２４に結合され得る加速度計２９９を含み得ることをさらに示している。加速度計２９９は、無線装置２２０のモーションの方向を判定するのに使うことができ、無線装置２２０のロケーションをより正確なロケーションで判定するのにさらに使うことができ得る。言い換えると、加速度計２９９は、無線装置２２０の以前言及したロケーションに少なくとも部分的に基づいて、建物内部で無線装置２２０を突き止めるための手段としても働き得る。加速度計２９９は、狭い空間内での、たとえば、無線装置２２０をポケットから耳に動かし、または広い空間内での、たとえば、歩き、走り、階段を昇り、階段を降り、もしくはその組合せのモーションの速さを判定するのにも使われ得る。さらに、加速度計２９９は、ジャイロスコープとともに、無線装置２２０の向きを判定するための手段として働き得る。
【００５２】
図２に示すように、タッチスクリーンディスプレイ２３２、ビデオポート２３８、ＵＳＢポート２４２、カメラ２４８、第１のステレオスピーカ２５４、第２のステレオスピーカ２５６、マイクロホン２６０、ＦＭアンテナ２６４、ステレオヘッドホン２６６、ＲＦスイッチ２７０、ＲＦアンテナ２７２、キーパッド２７４、モノラルヘッドフォン２７６、バイブレータ２７８、および電源２８０は、オンチップシステム２２２の外部にある。
【００５３】
図３は、３００で指定される第２の無線装置を示す。図示するように、第２の無線装置３００は、プロセス３０２を含み得る。プロセッサ３０２は、メッセージ通信ユニット３０４および状況認知ユニット３０６を含み得る。さらに、プロセッサ３０２は、自動構成システム３０８を含んでよく、システム３０８は、格納ユニット３１０および実行ユニット３１２を含み得る。無線装置３００は、プロセッサ３０２に結合され得るメモリ３１４およびユーザ入出力３１６も含み得る。ユーザ入出力３１６は、表示画面とともにキーパッドを含み得る。
【００５４】
図３に示すように、無線装置３００は、装置入出力を含み得る近接ユニット３１８をさらに含み得る。さらに、無線装置３００は、位置判定ユニット３２０およびエアインターフェース３２２を含み得る。位置判定ユニット３２０は、トランシーバ３２４、たとえばアンテナに結合され得る。エアインターフェース３２２は、トランシーバ３２４、たとえばアンテナも含み得る。ある特定の態様では、無線装置３００は、無線装置３００および無線装置３００が配置され得る様々なロケーションに関連づけられた動作モードを変更するために、上述したシステムと対話することができ得る。
【００５５】
近接ユニット３１８は、より小さいエリアでの異なるタイプの無線周波数（ＲＦ）基地局／ペアリングアソシエーション（pairing association）、たとえば、ＲＦＩＤ、８０２．１１および共通ＳＳＩＤ名、ブルートゥースＰＡＮ、および他の任意の基地局／ペアリングロケーションとともに使うことができ得る。近接ユニット３１８は、ロケーションコードタグ、ＲＦＩＤタグ、様々なネットワーク装置、またはその組合せとともに、無線装置３００が自動構成システム３０８によって規定された適切なアクションをとるために、特定のロケーション、または地理的エリアにおける無線装置３００の存在の識別機構として働き得る。
【００５６】
ある特定の態様では、自動構成システム３０８内部の実行ユニット３１２は、無線装置３００の位置を監視することができ得る。無線装置３００が、保存された位置に入ると、または無線装置３００が位置定義サービスによって定義された位置（すなわち、共有される保存位置）に遭遇した場合、無線装置３００は、ロケーションによって、たとえば、本明細書に記載する手段の１つによって無線装置３００にプッシュされるロケーション定義モードを承認するよう、ユーザを促し得る。
【００５７】
無線装置３００が、事業所などのロケーション内部に、またはそのロケーションにある程度近接しているとき、共有される保存位置に依存せずに、他のアクションをとることができ得る。たとえば、重大または必須として定義される特定のロケーション定義モードは、ユーザによる介入または入力の機会なしで、自動的に扱われ得る。たとえば、ユーザが映画館に入ったとき、ブルートゥース、または他の何らかの無線経由インターフェースを介して近接ユニット３１８にトリガを送ることができ、無線装置３００がトリガを正しく扱うように構成されている場合、トリガは、サイレントモードに移行するよう、無線装置３００に強制し得る。
【００５８】
位置判定ユニット３２０は、無線装置３００のロケーションを判定するのに使われ得る。非限定的な例示的態様において、位置判定ユニット３２０は、ＧＰＳ技術および非ＧＰＳ技術とともに使われ得る。たとえば、位置判定ユニット３２０は、オペレータベースの基地局暦および関連三角測量を含む補助ＧＰＳならびにセルタワーＩＤおよびＧＰＳ／セルタワーＩＤ相関に基づく自己投入型データベースを用いることができ得るセルタワーＩＤソリューションとともに使われ得る。無線装置３００のロケーションが変わると、無線装置３００の動作モードも、判定されたロケーションに基づいて変わり得る。
【００５９】
さらに、自動構成システム３０８は、無線装置３００と、無線装置３００および無線装置３００が入り得るロケーションに関連づけられた様々なロケーション定義モードとを自動構成するのに使われ得る。たとえば、ロケーションコードタグのケースでは、自動構成システム３０８、たとえばその中の格納ユニット３１０が、ある特定のロケーションコードタグおよびそれに関連づけられたある特定のロケーション定義モードを、メモリ３１４内のルックアップテーブルに格納するのに使われ得る。その後、特定のロケーションコードタグが認識されると、実行ユニット３１２は、特定のロケーションコードタグを識別し、ルックアップテーブルからロケーション定義モードを検索し、所望通りに特定のロケーション定義モードに入るよう無線装置３００に命令するのに使われ得る。
【００６０】
ある特定の態様では、メッセージ通信ユニット３０４は、図１に関連して上述した位置定義サービスと通信することができ得る。メッセージ通信ユニット３０４は、緯度および経度情報、または状況認知ユニット３０６から検索され得る他の位置情報を送ることができ得る。メッセージ通信ユニット３０４は、位置定義サービスによって促されると、状況認知ユニット３０６によって促されると、またはその組合せで、定期的に位置情報を送信することができ得る。あるいは、メッセージ通信ユニット３０４と位置定義サービスとの間のやり取りは、現在のゾーンへの帰属関係、たとえば、ある特定の小売店チェーンへの帰属関係に基づいてよく、ここでゾーンは、小売店に属すすべての店のロケーションを含む。位置情報に応答して、メッセージ通信ユニット３０４は、たとえば、無線装置をスリープモードにし、マナーモードにするようユーザを促す、などの定義済みアクションを受信することができ得る。さらに、メッセージ通信ユニット３０４は、ゾーンサイズなど、ポジショニング定義サービスからの付加情報を受信することができ得る。
【００６１】
別の態様では、別の無線装置が、ハードウェアにより、ソフトウェアにより、またはその組合せにより同様に構成され、情報の共有を開始する場合、メッセージ通信ユニット３０４は、同様の情報をＳＭＳ／ＭＭＳを介してピアツーピアで送信するのに使うことができる。このようなケースでは、状況認知ユニット３０６は迂回してよい。このような例は、無線装置、ユーザ、またはその組合せの間でのジャンル／位置情報のウィルス性のピアツーピア共有を可能にし得る。ある特定の態様では、メッセージ通信ユニット３０４は、ユーザＩ／Ｏおよび無線装置ソフトウェアにより促された通り、位置判定サービスへのゾーン、ジャンル、および関連情報の公表、またはそうでなければ共有も扱うことができ得る。本明細書で記載するように、同様のメッセージ通信ユニットは、位置定義サービス内部に存在する。
【００６２】
別の態様では、状況認知ユニット３０６は、位置判定ユニット３２０、近接ユニット３１８、またはその組合せの出力と、予めキャッシュされたジャンルまたは無線装置が通信するサービス、たとえば、位置定義サービスを通して入手可能なジャンル／定義との相互参照により、自動構成システム３１０によって使用するために、無線装置に追加状況を認知させ得る。
【００６３】
たとえば、ジャンルは、ゾーン半径を設定するのと同様の方法で、ユーザによって選択され得る。ただし、ユーザは、予め定義されたプロファイルがそのジャンル向けに使われることを促される場合がある。ジャンルは、自動的および知的に、他の入手可能情報、たとえば、カレンダで定義された「労働時間」、イベントカテゴリ分類（仕事、私的、重要など）などに基づき得る。ジャンルは、論理定義で予め定義することができ、たとえば、仕事環境では目立つ着信音を鳴らすべきではない。ジャンルはまた、他のタイプのコンテンツ分類を解釈し、その結果としての論理アクションを必要に応じて実施し、かつ位置定義サービスから無線経由で更新され得る。
【００６４】
状況認知ユニット３０６は、緯度／経度／高度の履歴情報、または他のロケーションもしくは動き情報に基づいて、無線装置が移動する際の平均速度率を判定する能力も含み得る。平均速度率が、ある特定のゾーンのサイズと相互参照され、あるいは比較されるとき、状況認知ユニット３０６は、メッセージ通信ユニット３０４が位置定義サービスと通信する際の周波数を動的に更新し得る。状況認知ユニット３０６は、無線装置３００が特定のロケーション内部にあるときにとられるアクションに関する履歴情報も保持し得る。以前遭遇したロケーションに戻ると、状況認知ユニット３０６は、無線装置３００のユーザに、以前のアクション、たとえば、サイレントモードへの切換えを適用し直すことをユーザが望むかどうか判定するよう促し得る。状況認知ユニット３０６は、どのようなロケーションおよび状況に無線装置が遭遇したか判定することができ、それに従って状況認知ユニット３０６は、適切なアクションを提示し、適用し、またはその組合せを行うことができ得る。
【００６５】
図４を参照すると、第３の無線装置が示されており、全体を４００で指定してある。図４に示すように、第３の無線装置４００はプロセッサ４０２を含み得る。プロセッサ４０４は、メッセージ通信ユニット４０４、格納ユニット４０６、および実行ユニット４０８を含み得る。さらに、無線装置４００は、プロセッサ４０２に結合されたメモリ４１０を含み得る。さらに、無線装置４００は、ユーザ入出力装置４１２、たとえば、無線装置４００を操作し、様々なネットワーク、たとえばワイドエリアネットワーク（ＷＡＮ）（すなわち、インターネット）、ローカルエリアネットワーク（ＬＡＮ）、またはその任意の組合せにアクセスするのに使われ得るキーパッドおよびディスプレイを含み得る。無線装置４００は、プロセッサに結合されたネットワークインターフェース４１４およびネットワークインターフェース４１４に結合されたトランシーバも含み得る。
【００６６】
格納ユニット４０６は、様々なロケーションを有し、ロケーション定義モードに関連づけられた無線装置４００を手動構成するのに使われ得る。様々なロケーションおよびロケーション定義モードは、メモリ中のルックアップテーブルに格納され得る。その後、無線装置４００が様々なロケーションに入り、または出ると、実行ユニット４０８が、無線装置４００のモードを変更するのに使われ得る。
【００６７】
ここで図５を参照すると、一態様により、無線装置にモード変更を提供する方法が示されており、この方法はブロック５０２で始まる。ある特定の態様では、この方法は、ネットワーク装置、たとえば、ピアネットワーク装置、インフラストラクチャネットワーク装置、ピアネットワーク装置もしくはインフラストラクチャネットワーク装置に接続されたマイクロプロセッサ、またはその組合せによって実施され得る。さらに、ある特定の態様では、無線装置は、無線接続を介し、有線接続を介し、またはその組合せを介してピアまたはインフラストラクチャネットワーク装置と接続し得る。
【００６８】
ブロック５０２で、無線装置が、ピアまたはインフラストラクチャネットワーク装置の範囲に入り、またはネットワーク装置への接続を試みる。ブロック５０４で、ロケーション定義モードに入るための信号が無線装置に送られ得る。ブロック５０６に移り、無線装置から肯定応答が受信され得る。
【００６９】
次に、５０８で、ロケーション定義モードに入るための信号を無線装置が受諾し、すなわち「プッシュ」したかどうか判定され得る。ｙｅｓの場合、方法はブロック５１０に移ってよく、ピアまたはネットワーク装置によって与えられるネットワークへのアクセスが許可され得る。その後、方法は、状態５１２で終了してよい。
【００７０】
５０８に戻ると、装置からの肯定応答が、ロケーション定義モードに入るための信号を受諾しない場合、方法は、５１４に進めばよい。５１４で、ロケーション定義モードに入ることに対する、無線装置の拒否をオーバーライドするかどうか判定され得る。オーバーライドしない場合、方法はブロック５１６に進んでよく、無線装置によるネットワークへのアクセスは遮断され得る。ブロック５１７で、ネットワーク装置へのアクセスが遮断され、無線装置によってそれ以上のアクションが要求されないという警告が、無線装置に与えられ、あるいは送信され得る。次いで、方法は、状態５１２で終了してよい。
【００７１】
５１４に戻ると、ピアまたはインフラストラクチャネットワーク装置が、ロケーション定義モードに入ることに対する、無線装置の拒否をオーバーライドすることを決定した場合、方法は、ブロック５１８に続き得る。ブロック５１８で、ピアもしくはインフラストラクチャネットワーク装置、またはこうした装置に接続されたマイクロプロセッサは、現在の装置設定をオーバーライドし、ロケーション定義モードに入るよう無線装置に強制するための信号を無線装置に送ることができ得る。その後、方法はブロック５１０に進んでよく、本明細書で記載するように続く。
【００７２】
この方法は、ある特定のロケーションに無線装置が持って行かれたときに無線装置がどのように振る舞うべきかを、その特定のロケーションに定義させる。たとえば、劇場では、無線装置が、たとえば着信呼、着信テキスト、ボタン押下、アラーム、メモなどにより映画中に劇場内で雑音を起こさないように、劇場を訪れる利用者が自分の無線装置をサイレントモードにすることが望まれ得る。
【００７３】
さらに、米国連邦航空局によって要求されるように、航空機の乗客は、航空機に入ると、自分の無線装置をオフにし、またはスタンドアロンモードにするよう求められ得る。この方法は、航空機に、自動的にすべてのネットワーク可能無線装置を飛行機モードに入らせることができ、このモードでは、航空機の操縦と干渉する可能性のある信号を無線装置が送信することも受信することもできない。
【００７４】
さらに、別の態様において、多くの病院では、患者、訪問者、または他の人達に、無線装置が病院内の高感度機器の動作と干渉する可能性をなくすために、病院の一定のエリアでは自分の無線装置をオフにするよう求める規制を設けている。この方法は、病院に、自動的に無線装置をシャットダウンさせ、または無線装置を、病院の高感度エリアに入ると信号送信も受信も許さないモードにさせ得る。
【００７５】
別の態様では、ロケーションは、ユーザの家庭またはオフィスでよく、家庭またはオフィスは、特定の家庭またはオフィス定義モードをもつことができ、無線装置は、家庭もしくはオフィスまたは家庭もしくはオフィス内の特定の部屋に入ると、自動的にある特定のモードにされ得る。たとえば、新生児のいるユーザは、自分の無線装置がベビールームに置かれているとき、無線装置に、いかなる可聴音も出させたくない場合がある。したがって、ユーザは、ベビールームに入り、ＲＦＩＤタグを認識すると、すべての無線装置をサイレントモードにするための命令で、ベビールーム内でＲＦＩＤタグ、または他の手段を、本明細書で記載するようにセットアップすればよい。さらに、ユーザは、オフィスでの会議を遮るいかなる可聴トーンも望まない場合がある。したがって、ユーザは、会議室に入るすべての無線装置を、会議室に入るとサイレントモードに切り換えさせるＲＦＩＤタグ、または他の手段を、本明細書で記載するように会議室内でセットアップすればよい。
【００７６】
ここで図６を参照すると、一実装形態により、無線装置にてモード変更を受信する第１の方法が示されており、この方法はブロック６０２で始まる。ブロック６０２で、無線装置は、ロケーション定義モードに入るよう無線装置に命令する信号を受信することができ得る。ある特定の態様では、無線装置は、ネットワーク装置、たとえば、特定のロケーション内部またはその近くに配置されたピアネットワーク装置、インフラストラクチャネットワーク装置、ピアネットワーク装置もしくはインフラストラクチャネットワーク装置に接続されたマイクロプロセッサ、またはその組合せとの接続を試みると、信号を受信し得る。ブロック６０４で、無線装置は、ユーザに、たとえばディスプレイを介して、ロケーション定義モードを受諾するよう促し得る。６０６に移ると、無線装置は、たとえば、ユーザからキーパッドを介して受信された入力に基づいて、ユーザがロケーション定義モードへの切換えを受諾したかどうか判定することができ得る。
【００７７】
ユーザがロケーション定義モードへの切換えを受諾しない場合、方法はブロック６０８に進んでよく、無線装置は、ロケーション定義モードへの切換えを無線装置が受諾していないことを示す肯定応答を送信することができ得る。ブロック６１０に移ると、無線装置は、ネットワーク装置を介したネットワークへのアクセスが遮断されることを示す信号を受信することができ得る。次に、ブロック６１２で、無線装置は、ネットワーク装置を介したネットワークへのアクセスが遮断されることをユーザに示すことができ得る。さらに、ブロック６１４で、無線装置は、装置定義モードに留まってよい。
【００７８】
６１６に続き、無線装置は、オーバーライドが受信されるかどうか判定することができ得る。受信されない場合、方法は、ブロック６１８で終了してよい。一方、オーバーライド信号が受信される場合、方法はブロック６２０に移ってよく、無線装置は、オーバーライドが受信され、無線装置がロケーション定義モードに切り換わることをユーザに示し得る。その後、ブロック６２２で、無線装置は、ロケーション定義モードに入ればよい。
【００７９】
６０６に戻ると、ユーザがロケーション定義モードを受諾した場合、方法はブロック６２４に進んでよく、ユーザは、無線装置がロケーション定義モードを受諾する予定であることを示す肯定応答を送信することができ得る。次いで、ブロック６２２で、無線装置は、ロケーション定義モードに入ればよい。
【００８０】
ブロック６２６に移ると、無線装置は、ネットワーク装置を介して、無線装置が配置されているロケーションによって提供されるネットワークへのアクセスを受け取ることができ得る。別の態様では、無線装置は、ネットワーク装置が配置されているロケーションへのアクセスを受け取り得る。言い換えると、無線装置は、無線装置に関連づけられたユーザのためにロケーションへの物理アクセスをロック解除するための鍵として作用し得る。６２８で、無線装置が、ロケーション定義モードに入るための信号を送信したネットワーク装置から切断されているか、それとも範囲外であるか、無線装置が判定することができ得る。無線装置が切断されていない場合、方法はブロック６３０に進んでよく、無線装置は、ロケーション定義モードに留まってよい。その後、方法は６２８に戻ればよい。無線装置がネットワーク装置から切断されると、方法はブロック６３２に移ってよく、無線装置は、直前の装置モード、すなわち、ロケーション定義モードに入るための信号の受信に先立って無線装置が置かれていたモードに戻ればよい。その後、方法は、状態６１８で終了し得る。
【００８１】
図７を参照すると、一態様により、無線装置にてモード変更を受信する第２の方法が示されており、この方法はブロック７０２で始まる。ブロック７０２で、無線装置は、ロケーション識別子を受信することができ得る。ロケーション識別子は、ロケーションコードタグ、ＲＦＩＤタグ、またはその組合せでよい。７０４で、無線装置がロケーション識別子を認識するかどうか判定され得る。無線装置がロケーション識別子を認識しない場合、方法はブロック７０６に進んでよく、無線装置は、装置定義モードに留まってよい。その後、方法は、状態７０８で終了し得る。
【００８２】
７０４に戻ると、無線装置がロケーション識別子を認識する場合、方法はブロック７１０に進んでよく、無線装置は、無線装置内に格納されたロケーション識別子ルックアップテーブルを探索することができ得る。７１２に続き、無線装置は、ロケーション識別子に関連づけられたロケーション定義モードがあるかどうか判定することができ得る。ない場合、方法はブロック７０６に移り、本明細書で記載するように続き得る。
【００８３】
ロケーション定義モードがある場合、方法はブロック７１４に移ってよく、無線装置は、ロケーション定義モードを受諾するようユーザを促し得る。その後、７１６で、無線装置は、たとえば、ユーザからキーパッドを介して無線装置にて受信された入力に基づいて、ユーザがロケーション定義モードを受諾したかどうか判定することができ得る。ユーザがロケーション定義モードを受諾しない場合、方法はブロック７０６に移り、本明細書で記載するように続き得る。逆に、ユーザがロケーション定義モードを受諾する場合、方法はブロック７１８に進んでよく、無線装置はロケーション定義モードに入ることができ得る。その後、ブロック７２０で、無線装置は、ロケーションから退出インジケータが受信されるかどうか判定することができ得る。退出インジケータは、ロケーションの出口の近くに置かれた別のロケーションコードタグ、別のＲＦＩＤタグ、またはその組合せでよい。あるいは、退出インジケータは単に、ユーザがロケーションを退出するときのロケーション識別子の第２の認識でよい。言い換えると、ロケーション識別子の第１の認識は、無線装置を装置定義モードからロケーション定義モードにトグルさせ、ロケーション識別子の第２の認識は、無線装置をロケーション定義モードから装置定義モードに戻すようにトグルさせる。さらに別の態様では、退出インジケータは、範囲外インジケータ、認識インジケータの欠如、またはその組合せでよい。
【００８４】
７２０で、退出インジケータが受信されない場合、方法はブロック７２２に移ればよく、無線装置はロケーション定義モードに留まってよい。方法は７２０に戻り、本明細書で記載するように続き得る。退出インジケータが受信された場合、方法はブロック７２２に移ってよく、無線装置は、装置定義モードに戻され得る。その後、方法は、状態７０８で終了し得る。
【００８５】
本明細書に記載したシステムおよび方法を用いて、所与の環境に適した無線装置使用が可能になる。さらに、無線装置が社会によって否定的に認知される恐れが、実質的に最小限にされる。さらに、本明細書に記載したシステムおよび方法は、無線装置上の不適切なコンテンツが不適切な時およびロケーションにおいて表示され、または告知される可能性を効果的に妨げ、または実質的に最小限にし得る。たとえば、本明細書に記載したシステムおよび方法は、たとえば映画館、教会、洗練された外食施設など、不適切なロケーションで電話が鳴るのを最小限にするのを助ける。また、本明細書に記載したシステムおよび方法は、企業環境など、不適切なロケーションで、目立つ着信メロディが再生されるのを防止し得る。本明細書に記載したシステムおよび方法は、刺激的コンテンツ、たとえば壁紙が、子供が出入りするエリアに表示されるのも防止し、または最小限にし得る。さらに、本明細書に記載したシステムおよび方法は、個人チャット（ＰＴＴ）メッセージが、たとえば劇場、教会、レストラン、会議室など、このような割込みが混乱を生じ、または不快であり得るロケーションにおいてスピーカーフォンで鳴り出すのを最小限にし得る。本明細書で開示した方法は、加入により提供され得る。言い換えると、ユーザは、自動モード変更を受けるために料金を払うことを選ぶことができ得る。逆に、ユーザは、自動モード変更を受けないために料金を払うことができ得る。別の態様では、サービスは、無料で提供することができ、収入は、広告、呼出し音販売、音楽販売、ソフトウェアダウンロードなどから得ることができ得る。
【００８６】
ある特定の態様では、本明細書に記載したシステムおよび方法は、エアインターフェースを有するほぼどの移動体装置にも、すなわち、「固定」されていない装置に適用可能であり得る。たとえば自動車は、たとえば、公安官／公安車両がある場合の光調節エレクトロクロマティックウィンドウのように、ロケーション認知に基づいて物事を行うように作られ得る。このような例は、車のフロントガラスのスモークを禁止する必要性をなくすものと見込まれる。さらに、雨の場合は牽引摩擦をより大きくするために、相互参照される嵐のパターンが存在する場合は空気圧を自動下方調整する自動車タイヤが作られ得る。オートバイは、バイクが移動体装置の通信距離内にないことにより、バイクが盗まれようとしているときは所有者に警告するように作られ得る。認証を受けた人が入って来た場合は、自動的に作動し解除するアラームシステムが提供され得る。このようなケースにおいて、移動体装置は、アラームシステムに近接し、または距離があることにより、アラームシステムを自動的に作動し解除し得る許可トークンとして使われ得る。このようなサービスは、アラームシステム、無線装置、またはその組合せ向けの加入サービスでよい。
【００８７】
別の態様では、ロケーションは、日時に依存して、どのような設定を無線装置に送るかを変更することができ得る。たとえば、家は、日中、たとえば、午前７時から午後１１時の間は無線電話を最大呼出し音量設定にセットするための設定をプッシュし、次いで、夜は無線電話を最小呼出し音量設定、またはサイレント設定にセットするための設定をプッシュし得る。同様に、車両は、車両が動いている間は無線電話を最大呼出し音量設定にセットするための設定をプッシュし、車両が止まっている間は無線電話を最小呼出し音量設定にセットするための設定をプッシュし得る。
【００８８】
１つまたは複数のコンピュータプログラムが、前述した方法ステップを備え得ることが理解できよう。さらに、コンピュータプログラムは、無線装置の動作を制御するために、無線装置、ネットワーク装置（たとえば、ピアネットワーク装置、インフラストラクチャネットワーク装置、もしくはその組合せ）、およびネットワーク装置に接続されたマイクロプロセッサ、またはその組合せの中で実行され得る。コンピュータプログラムは、コンピュータ可読媒体、すなわち、メモリ上に格納され、コンピュータプログラム製品としてパッケージされ得る。
【００８９】
１つまたは複数の例示的態様では、記載した機能は、ハードウェア、ソフトウェア、ファームウェア、またはその組合せで実装され得る。ソフトウェアで実装される場合、機能は、コンピュータ可読媒体上に１つまたは複数の命令またはコードとして格納され、または送信され得る。コンピュータ可読媒体は、ある場所から別の場所へのコンピュータプログラムの転送を容易にするどの媒体も含むコンピュータ記憶媒体および通信媒体両方を含む。記憶媒体は、コンピュータによってアクセスされ得る市販されているどの媒体でもよい。限定ではなく例として、このようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または所望のプログラムコードを命令またはデータ構造の形で搬送し、または格納するのに使われ、コンピュータによってアクセスされ得る他のどの媒体も備え得る。また、どの接続も、コンピュータ可読媒体と呼ぶのが正しい。たとえば、ソフトウェアが、同軸ケーブル、光ファイバケーブル、ツイストペア、ディジタル加入者線（ＤＳＬ）、または赤外線、ラジオ、およびマイクロ波などの無線技術を使ってウェブサイト、サーバ、または他の遠隔ソースから送信される場合、同軸ケーブル、光ファイバケーブル、ツイストペア、ＤＳＬ、または赤外線、ラジオ、およびマイクロ波などの無線技術は、媒体の定義に含まれる。本明細書で使用するディスク（ｄｉｓｋ）およびディスク（ｄｉｓｃ）は、コンパクトディスク（ＣＤ）、レーザディスク、光ディスク、ディジタル多用途ディスク（ＤＶＤ）、フロッピー（登録商標）ディスク、およびブルーレイディスクを含むが、ディスク（ｄｉｓｋ）は通常はデータを磁気的に再現し、ディスク（ｄｉｓｃ）はデータをレーザで光学的に再現する。上記の組合せも、コンピュータ可読媒体の範囲内に含まれるべきである。
【００９０】
選別した態様を、詳しく例示し記載したが、添付の請求項によって定義される本開示の精神および範囲から逸脱することなく、様々な代用および変更が行われ得ることが理解されよう。
以下に、本願出願の当初の特許請求の範囲に記載された発明を付記する。
［１］
無線装置にモード変更を提供する方法であって、
ネットワーク装置と接続するためのリクエストを無線装置から受信すること、および
ロケーション定義モードに入るための信号を前記無線装置に送ることを備える方法。
［２］
前記ロケーション定義モードを前記無線装置が受諾するという肯定応答を前記無線装置から受信すること、および
前記ネットワーク装置を介したネットワークへのアクセスを許可することをさらに備える、［１］に記載の方法。
［３］
前記ロケーション定義モードを前記無線装置が受諾しないという肯定応答を前記無線装置から受信すること、
前記ネットワーク装置を介したネットワークへのアクセスを遮断すること、および
前記ネットワークへのアクセスが遮断され、前記無線装置によってそれ以上のアクションが要求されないという警告を前記無線装置に与えることをさらに備える、［１］に記載の方法。
［４］
前記ネットワーク装置に関連づけられたロケーションに前記無線装置が近接している間、前記ロケーション定義モードが、前記無線装置の少なくとも１つの挙動を定義する、［１］に記載の方法。
［５］
前記少なくとも１つの挙動が、テーマ、着信音、着信音量、振動設定、警告音量、インスタントメッセージ通信のプレゼンス、メッセージ受信設定、呼ルーティング設定、チャットハンドリング設定、接続性設定、バディーリスト、ボタン押下音量、アラーム音量、テキスト警告音量、スクリーンセーバ、ディスプレイ背景、壁紙、ゲーム設定、またはその任意の組合せの少なくとも１つを備える、［４］に記載の方法。
［６］
前記ロケーション定義モードが、前記ロケーションの所有者によって定義される、［１］に記載の方法。
［７］
前記ロケーション定義モードが、前記無線装置のユーザによって定義される、［１］に記載の方法。
［８］
前記ロケーション定義モードが、コミュニティによって定義される、［１］に記載の方法。
［９］
前記無線装置にオーバーライド信号を送ることをさらに備え、前記オーバーライド信号が、現在の装置モードをオーバーライドし、前記無線装置を前記ロケーション定義モードに入らせる、［３］に記載の方法。
［１０］
前記ネットワークへのアクセスを許可することをさらに備える、［９］に記載の方法。
［１１］
ネットワークへのアクセスを提供する装置であって、
ネットワーク装置と接続するためのリクエストを無線装置から受信するための手段と、
ロケーション定義モードに入るための信号を前記無線装置に送るための手段とを備える装置。
［１２］
前記ロケーション定義モードを前記無線装置が受諾するという肯定応答を前記無線装置から受信するための手段と、
前記ネットワーク装置を介したネットワークへのアクセスを許可するための手段とをさらに備える、［１１］に記載の装置。
［１３］
前記ロケーション定義モードを前記無線装置が受諾しないという肯定応答を前記無線装置から受信するための手段と、
前記ネットワーク装置を介したネットワークへのアクセスを遮断するための手段とをさらに備える、［１１］に記載の装置。
［１４］
前記ネットワーク装置に関連づけられたロケーションに前記無線装置が近接している間、前記ロケーション定義モードが、前記無線装置の少なくとも１つの挙動を定義する、［１１］に記載の装置。
［１５］
前記少なくとも１つの挙動が、テーマ、着信音、着信音量、振動設定、警告音量、インスタントメッセージ通信のプレゼンス、メッセージ受信設定、呼ルーティング設定、チャットハンドリング設定、接続性設定、バディーリスト、ボタン押下音量、アラーム音量、テキスト警告音量、スクリーンセーバ、ディスプレイ背景、壁紙、またはその任意の組合せの少なくとも１つを備える、［１４］に記載の装置。
［１６］
前記無線装置にオーバーライド信号を送るための手段であって、前記オーバーライド信号が現在の装置モードをオーバーライドし、前記無線装置を前記ロケーション定義モードに入らせる手段と、
前記ネットワークへのアクセスを許可するための手段とをさらに備える、［１３］に記載の装置。
［１７］
コンピュータに、ネットワーク装置と接続するためのリクエストを無線装置から受信させる少なくとも１つの命令と、
コンピュータに、ロケーション定義モードに入るための信号を前記無線装置に送らせる少なくとも１つの命令とを備えるコンピュータ可読媒体を備えるコンピュータプログラム製品。
［１８］
前記コンピュータ可読媒体が、
コンピュータに、前記ロケーション定義モードを前記無線装置が受諾するという肯定応答を前記無線装置から受信させる少なくとも１つの命令と、
コンピュータに、前記ネットワーク装置を介したネットワークへのアクセスを許可させる少なくとも１つの命令とをさらに備える、［１７］に記載のコンピュータプログラム製品。
［１９］
前記コンピュータ可読媒体が、
コンピュータに、前記ロケーション定義モードを前記無線装置が受諾しないという肯定応答を前記無線装置から受信させる少なくとも１つの命令と、
コンピュータに、前記ネットワーク装置を介したネットワークへのアクセスを遮断させる少なくとも１つの命令とをさらに備える、［１７］に記載のコンピュータプログラム製品。
［２０］
前記ネットワーク装置に関連づけられたロケーションに前記無線装置が近接している間、前記ロケーション定義モードが、前記無線装置の少なくとも１つの挙動を定義する、［１７］に記載のコンピュータプログラム製品。
［２１］
前記少なくとも１つの挙動が、テーマ、着信音、着信音量、振動設定、警告音量、インスタントメッセージ通信のプレゼンス、メッセージ受信設定、呼ルーティング設定、チャットハンドリング設定、接続性設定、バディーリスト、ボタン押下音量、アラーム音量、テキスト警告音量、スクリーンセーバ、ディスプレイ背景、壁紙、またはその任意の組合せの少なくとも１つを備える、［２０］に記載のコンピュータプログラム製品。
［２２］
前記コンピュータ可読媒体が、
コンピュータに、オーバーライド信号を前記無線装置に送らせる少なくとも１つの命令であって、前記オーバーライド信号が、現在の装置モードをオーバーライドし、前記無線装置を前記ロケーション定義モードに入らせる命令と、
コンピュータに、前記ネットワークへのアクセスを許可させる少なくとも１つの命令とをさらに備える、［１９］に記載のコンピュータプログラム製品。
［２３］
プロセッサと、
前記プロセッサにとってアクセス可能なメモリとを備える、ネットワークへのアクセスを提供する装置であって、前記メモリが、
ネットワーク装置と接続するためのリクエストを無線装置から受信する少なくとも１つの命令と、
ロケーション定義モードに入るための信号を前記無線装置に送る少なくとも１つの命令とを備える装置。
［２４］
前記メモリが、
前記ロケーション定義モードを前記無線装置が受諾するという肯定応答を前記無線装置から受信する少なくとも１つの命令と、
前記ネットワーク装置を介したネットワークへのアクセスを許可する少なくとも１つの命令とをさらに備える、［２３］に記載の装置。
［２５］
前記メモリが、
前記ロケーション定義モードを前記無線装置が受諾しないという肯定応答を前記無線装置から受信する少なくとも１つの命令と、
前記ネットワーク装置を介したネットワークへのアクセスを遮断する少なくとも１つの命令とをさらに備える、［２３］に記載の装置。
［２６］
前記ネットワーク装置に関連づけられたロケーションに前記無線装置が近接している間、前記ロケーション定義モードが、前記無線装置の少なくとも１つの挙動を定義する、［２３］に記載の装置。
［２７］
前記少なくとも１つの挙動が、テーマ、着信音、着信音量、振動設定、警告音量、インスタントメッセージ通信のプレゼンス、メッセージ受信設定、呼ルーティング設定、チャットハンドリング設定、接続性設定、バディーリスト、ボタン押下音量、アラーム音量、テキスト警告音量、スクリーンセーバ、ディスプレイ背景、壁紙、またはその任意の組合せの少なくとも１つを備える、［２６］に記載の装置。
［２８］
前記メモリが、
前記無線装置にオーバーライド信号を送る少なくとも１つの命令であって、前記オーバーライド信号が現在の装置モードをオーバーライドし、前記無線装置を前記ロケーション定義モードに入らせる命令と、
前記ネットワークへのアクセスを許可する少なくとも１つの命令とをさらに備える、［２５］に記載の装置。
［２９］
無線装置にてモード変更を受信する方法であって、
ネットワーク装置との接続を試みること、
前記ネットワーク装置を介して、ロケーション定義モードに入るための信号を受信すること、および
前記ロケーション定義モードを受諾するようユーザを促すことを備える方法。
［３０］
前記ユーザが前記ロケーション定義モードを受諾すると、前記ロケーション定義モードを受諾するという肯定応答を送信することをさらに備える、［２９］に記載の方法。
［３１］
前記ロケーション定義モードに入ること、
前記ネットワーク装置を介したネットワークへのアクセスを受け取ること、および
前記無線装置が前記ネットワーク装置から切断すると、直前の装置モードに戻ることをさらに備える、［３０］に記載の方法。
［３２］
前記ユーザが前記ロケーション定義モードを受諾しないとき、前記ロケーション定義モードを拒否するという肯定応答を送信することをさらに備える、［２９］に記載の方法。
［３３］
装置定義モードに留まること、
前記ネットワーク装置を介したネットワークへのアクセスが遮断されるという信号を受信すること、
前記装置定義モードをオーバーライドするためのオーバーライド信号を受信すること、および
前記ロケーション定義モードに入ることをさらに備える、［３２］に記載の方法。
［３４］
前記ネットワーク装置を介した前記ネットワークへのアクセスを受け取ることをさらに備える、［３３］に記載の方法。
［３５］
ネットワーク装置との接続を試みるための手段と、
前記ネットワーク装置を介して、ロケーション定義モードに入るための信号を受信するための手段と、
前記ロケーション定義モードを受諾するようユーザを促すための手段とを備える無線装置。
［３６］
前記ユーザが前記ロケーション定義モードを受諾すると、前記ロケーション定義モードを受諾するという肯定応答を送信するための手段をさらに備える、［３５］に記載の装置。
［３７］
前記ロケーション定義モードに入るための手段と、
前記ネットワーク装置を介したネットワークへのアクセスを受け取るための手段と、
前記無線装置が前記ネットワーク装置から切断すると、直前の装置モードに戻るための手段とをさらに備える、［３６］に記載の装置。
［３８］
前記ユーザが前記ロケーション定義モードを受諾しないとき、前記ロケーション定義モードを拒否するという肯定応答を送信するための手段をさらに備える、［３５］に記載の装置。
［３９］
装置定義モードに留まるための手段と、
前記ネットワーク装置を介したネットワークへのアクセスが遮断されるという信号を受信するための手段と、
前記装置定義モードをオーバーライドするためのオーバーライド信号を受信するための手段と、
前記ロケーション定義モードに入るための手段とをさらに備える、［３８］に記載の装置。
［４０］
前記ネットワーク装置を介した前記ネットワークへのアクセスを受け取るための手段をさらに備える、［３９］に記載の装置。
［４１］
コンピュータに、ネットワーク装置との接続を試みさせる少なくとも１つの命令と、
コンピュータに、前記ネットワーク装置を介して、ロケーション定義モードに入るための信号を受信させる少なくとも１つの命令と、
コンピュータに、前記ロケーション定義モードを受諾するようユーザを促させる少なくとも１つの命令とを備えるコンピュータ可読媒体を備えるコンピュータプログラム製品。
［４２］
前記コンピュータ可読媒体が、
前記ユーザが前記ロケーション定義モードを受諾すると、コンピュータに、前記ロケーション定義モードを受諾するという肯定応答を送信させる少なくとも１つの命令をさらに備える、［４１］に記載のコンピュータプログラム製品。
［４３］
前記コンピュータ可読媒体が、
コンピュータを、前記ロケーション定義モードに入らせる少なくとも１つの命令と、
コンピュータに、前記ネットワーク装置を介したネットワークへのアクセスを受け取らせる少なくとも１つの命令と、
前記無線装置が前記ネットワーク装置から切断すると、コンピュータを、直前の装置モードに戻らせる少なくとも１つの命令とをさらに備える、［４２］に記載のコンピュータプログラム製品。
［４４］
前記コンピュータ可読媒体が、
前記ユーザが前記ロケーション定義モードを受諾しないとき、コンピュータに、前記ロケーション定義モードを拒否するという肯定応答を送信させる少なくとも１つの命令をさらに備える、［４１］に記載のコンピュータプログラム製品。
［４５］
前記コンピュータ可読媒体が、
コンピュータを装置定義モードに留まらせる少なくとも１つの命令と、
コンピュータに、前記ネットワーク装置を介したネットワークへのアクセスが遮断されるという信号を受信させる少なくとも１つの命令と、
コンピュータに、前記装置定義モードをオーバーライドするためのオーバーライド信号を受信させる少なくとも１つの命令と、
コンピュータを、前記ロケーション定義モードに入らせる少なくとも１つの命令とをさらに備える、［４４］に記載のコンピュータプログラム製品。
［４６］
前記コンピュータ可読媒体が、
コンピュータに、前記ネットワーク装置を介した前記ネットワークへのアクセスを受け取らせる少なくとも１つの命令をさらに備える、［４５］に記載のコンピュータプログラム製品。
［４７］
プロセッサと、
前記プロセッサにとってアクセス可能なメモリとを備える無線装置であって、前記メモリが、
ネットワーク装置との接続を試みる少なくとも１つの命令と、
前記ネットワーク装置を介して、ロケーション定義モードに入るための信号を受信する少なくとも１つの命令と、
前記ロケーション定義モードを受諾するようユーザを促す少なくとも１つの命令とを備える装置。
［４８］
前記メモリが、
前記ロケーション定義モードを前記ユーザが受諾すると、前記ロケーション定義モードを受諾するという肯定応答を送信する少なくとも１つの命令をさらに備える、［４７］に記載の装置。
［４９］
前記メモリが、
前記ロケーション定義モードに入る少なくとも１つの命令と、
前記ネットワーク装置を介したネットワークへのアクセスを受け取る少なくとも１つの命令と、
前記無線装置が前記ネットワーク装置から切断すると、直前の装置モードに戻る少なくとも１つの命令とをさらに備える、［４８］に記載の装置。
［５０］
前記メモリが、
前記ロケーション定義モードを前記ユーザが受諾しないとき、前記ロケーション定義モードを拒否するという肯定応答を送信する少なくとも１つの命令をさらに備える、［４７］に記載の装置。
［５１］
メッセージ通信ユニットを備えるサーバであって、前記メッセージ通信ユニットが、位置定義サービスに位置情報を伝達するように構成され、前記メッセージ通信ユニットが、前記位置情報に少なくとも部分的に基づく少なくとも１つのロケーション定義モードを前記位置定義サービスから受信するように構成されるサーバ。
［５２］
近接ユニットをさらに備え、前記近接ユニットが、ロケーションコードタグ、ＲＦＩＤタグ、またはその組合せと通信するように構成され、前記近接ユニットが、前記ロケーションコードタグ、前記ＲＦＩＤタグ、またはその組合せに少なくとも部分的に基づいてロケーションを識別するように構成され、前記近接ユニットが、前記無線装置を、前記ロケーションに基づいてロケーション定義モードに選択的に切り換えさせるように構成される、［５１］に記載のサーバ。
【図１】
0005323938.tif 000002
【図２】
0005323938.tif 000003
【図３】
0005323938.tif 000004
【図４】
0005323938.tif 000005
【図５】
0005323938.tif 000006
【図６】
0005323938.tif 000007
【図７】
0005323938.tif 000008